(57)【要約】【課題】記録媒体の記録残容量が少なくなってきたときに、記録モードの変更等をユーザに積極的に促すことで、記録残容量の有効利用を可能とする。【解決手段】記録媒体であるメモリカードへの静止画情報の記録を複数の記録モード（５Ｍ、４Ｍ、３Ｍ、２Ｍ、１Ｍの各モード）の中から選択して実施可能なカメラ付き携帯電話機３０において、制御部３２は、メモリカードの記録残容量と予め設定された一定量とを比較し、記録残容量が一定量以下になったとき、各記録モードに対応した残り記録可能情報を表示部３５に表示する。一定量は、例えば最高品質の記録モードである５Ｍ記録したときの記録容量を元に設定される。【選択図】図６
2008085406.tif 000002
【特許請求の範囲】
【請求項１】
記録媒体への静止画情報の記録を複数の記録モードの中から選択して実施可能なカメラ付き携帯電話機において、
前記記録媒体の記録残容量に基づき現在設定されている記録モードでの残り記録可能枚数を算出し、この算出した残り記録可能枚数と予め設定されている基準記録可能枚数とを比較する比較手段と、
前記比較手段での比較の結果、算出された残り記録可能枚数が前記基準記録可能枚数以下になったとき、前記各記録モードに対応した残り記録可能枚数を算出して表示する表示手段とを備え、
前記表示手段は、前記各記録モードに対応した残り記録可能枚数を算出するに際し、現在設定されている記録モードにおいて直近の一定時間内に撮影された複数枚の静止画情報の情報量の平均値を求め、その求めた平均値の情報量に基づいて残り記録可能枚数を算出することを特徴とするカメラ付き携帯電話機。
【請求項２】
記録媒体への情報の記録を複数の記録モードの中から選択して実施可能な記録装置において、
前記記録媒体の記録残容量と予め設定された一定量とを比較する比較手段と、
前記比較手段での比較の結果、記録残容量が一定量以下になったとき、前記各記録モードに対応した残り記録可能情報を表示する表示手段とを備えたことを特徴とする記録装置。
【請求項３】
記録媒体への動画情報の記録を複数の記録モードの中から選択して実施可能な記録装置において、
前記記録媒体の記録残容量と予め設定された一定量とを比較する比較手段と、
前記比較手段での比較の結果、記録残容量が一定量以下になったとき、前記各記録モードに対応した残り記録可能時間を算出して表示する表示手段とを備えたことを特徴とする記録装置。
【請求項４】
前記一定量は、最高品質の記録モードで記録したときの記録時間を元に設定されていることを特徴とする請求項３に記載の記録装置。
【請求項５】
記録媒体への動画情報の記録を複数の記録モードの中から選択して実施可能な記録装置において、
前記記録媒体の記録残容量に基づき現在設定されている記録モードでの残り記録可能時間を算出し、この算出した残り記録可能時間と予め設定されている基準記録可能時間とを比較する比較手段と、
前記比較手段での比較の結果、算出された残り記録可能時間が前記基準記録可能時間以下になったとき、前記各記録モードに対応した残り記録可能時間を算出して表示する表示手段とを備えたことを特徴とする記録装置。
【請求項６】
放送番組の録画予約機能を備えており、
前記表示手段は、前記各記録モードに対応した残り記録可能時間を算出するに際し、録画予約された日時に基づいて過去に記録された同じ曜日の同じ時間帯の放送番組の複数の記録情報の情報量の平均値を求め、その求めた平均値の情報量に基づいて残り記録可能時間を算出することを特徴とする請求項３ないし請求項５のいずれかに記載の記録装置。
【請求項７】
記録媒体への静止画情報の記録を複数の記録モードの中から選択して実施可能なカメラ付き携帯電話機において、
前記記録媒体の記録残容量と予め設定された一定量とを比較する比較手段と、
前記比較手段での比較の結果、記録残容量が一定量以下になったとき、前記各記録モードに対応した残り記録可能枚数を算出して表示する表示手段とを備えたことを特徴とするカメラ付き携帯電話機。
【請求項８】
前記一定量は、最高品質の記録モードで記録したときの記録容量を元に設定されていることを特徴とする請求項７に記載のカメラ付き携帯電話機。
【請求項９】
記録媒体への静止画情報の記録を複数の記録モードの中から選択して実施可能なカメラ付き携帯電話機において、
前記記録媒体の記録残容量に基づき現在設定されている記録モードでの残り記録可能枚数を算出し、この算出した残り記録可能枚数と予め設定されている基準記録可能枚数とを比較する比較手段と、
前記比較手段での比較の結果、算出された残り記録可能枚数が前記基準記録可能枚数以下になったとき、前記各記録モードに対応した残り記録可能枚数を算出して表示する表示手段とを備えたことを特徴とするカメラ付き携帯電話機。
【請求項１０】
前記表示手段は、前記各記録モードに対応した残り記録可能枚数を算出するに際し、現在設定されている記録モードにおいて直近の一定時間内に撮影された複数枚の静止画情報の情報量の平均値を求め、その求めた平均値の情報量に基づいて残り記録可能枚数を算出することを特徴とする請求項７または請求項８に記載のカメラ付き携帯電話機。
【発明の詳細な説明】
【技術分野】
【０００１】
本発明は、記録媒体への情報の記録を複数の記録モードの中から選択して実施可能な記録装置及びカメラ付き携帯電話機に関する。
【背景技術】
【０００２】
従来から、記録媒体への情報の記録を複数の記録モードの中から選択して実施可能な記録装置において、複数の記録モードをユーザが有効に活用できるように工夫された技術が開示されている（例えば、特許文献１〜４等参照）。
【０００３】
特許文献１には、画像領域に書き込み済みの画像データのフレーム数及び未使用のデータ容量を計数し、画像領域に書き込み済みの画像データのフレーム数から残りの撮影可能フレーム数を求め、画像領域の未使用のデータ容量からも残りの撮影可能フレーム数を求め、いずれか少ない方を撮影可能フレーム数として表示することが記載されている。
【０００４】
また、特許文献２には、ユーザが撮影画質を選択するにあたり、見易く、混乱を招かないようなわかり易いメニュー表示方式であって、撮影画質の設定を行うための設定画面に、撮影画素数の選択候補と画像圧縮率の選択候補とを二次元的配列形態で表示し、選択可能な画素数及び圧縮率の組合せ態様をユーザに提示し、画素数と圧縮率を選択したときに、その設定下で撮影可能な画像数（撮影可能枚数）を表示することが記載されている。
【０００５】
また、特許文献３には、撮影条件に応じた最良の画質で画像を記録するために、予め設定した記録画素数と圧縮率で画像処理し、記録媒体に記録するに当たり、記録媒体の残容量に応じて記録画素数と圧縮率の少なくとも一方を変更することが記載されている。
【０００６】
また、特許文献４には、 撮影により取得した画像データを記録媒体に記録する前にカメラ付属のモニタ上に一旦表示し、ユーザが表示中の画像に対して記録様式を設定できるようにすることが記載されており、記録様式の設定は、解像度や圧縮率などを直接設定できるようになっている。
【特許文献１】特開平１０−３０４３０６号公報
【特許文献２】特開２００１−３４６０７５号公報
【特許文献３】特開２００４−１３４９４０号公報
【特許文献４】特開平１１−１９１８７３号公報
【発明の開示】
【発明が解決しようとする課題】
【０００７】
上記特許文献１〜４記載のものによれば、複数の記録モードをユーザが有効に活用できるようになっている。しかし、特許文献１記載のものは、撮影可能フレーム枚数を常時表示するものであり、例えば撮影可能フレーム枚数がある一定枚数以下になったとき、ユーザに注意を促す意味で撮影可能フレーム枚数を表示するといった機能は備えていない。そのため、デジタルカメラに不慣れなユーザの場合には、表示された撮影可能フレーム枚数を見ながらその後の撮影枚数を調整することしか思いつかず、撮影したい場面に出くわしても、撮影を断念せざるを得ないといった状況が発生する可能性があった。
【０００８】
また、特許文献２に記載のものは、ユーザが意識して撮影画質設定画面を表示して初めて、撮影可能枚数の設定変更が可能となるものであり、例えば撮影可能枚数がある一定枚数以下になったとき、ユーザに注意を促す意味で撮影可能枚数を表示するといった機能は備えていない。そのため、上記特許文献１の場合と同様、デジタルカメラに不慣れなユーザの場合には、表示された撮影可能フレーム枚数を見ながらその後の撮影枚数を調整することしか思いつかず、その後撮影したい場面に出くわしても、撮影を断念せざるを得ないといった状況が発生する可能性があった。
【０００９】
また、特許文献３に記載のものは、撮影時の撮影条件に応じて記録画素数と圧縮率を自動的に変更するものであるため、ユーザの意思によって画質を選択できないといった問題があった。
【００１０】
また、特許文献４に記載のものは、撮影後にユーザが解像度や圧縮率等の記録様式を設定して記録媒体に記録するものであり、例えば撮影可能フレーム枚数がある一定枚数以下になったとき、ユーザに注意を促す意味で撮影可能フレーム枚数を表示するといった機能は備えていない。そのため、上記特許文献１の場合と同様、デジタルカメラに不慣れなユーザの場合には、表示された撮影可能フレーム枚数を見ながらその後の撮影枚数を調整することしか思いつかず、撮影したい場面に出くわしても、撮影を断念せざるを得ないといった状況が発生する可能性があった。
【００１１】
本発明はかかる実情に鑑みて創案されたもので、その目的は、記録媒体の記録残容量が少なくなってきたときに、記録モードの変更等をユーザに積極的に促すことで、記録残容量の有効利用を可能とした記録装置及びカメラ付き携帯電話機を提供することにある。
【課題を解決するための手段】
【００１２】
上記課題を解決するため、本発明の記録装置は、記録媒体への情報の記録を複数の記録モードの中から選択して実施可能な記録装置において、前記記録媒体の記録残容量と予め設定された一定量とを比較する比較手段と、前記比較手段での比較の結果、記録残容量が一定量以下になったとき、前記各記録モードに対応した残り記録可能情報を表示する表示手段とを備えたことを特徴とする。
【００１３】
より具体的に説明すると、本発明の記録装置をハードディスクレコーダやＤＶＤ（ＤｉｇｉｔａｌＶｅｒｓａｔｉｌｅ Ｄｉｓｋ）レコーダに適用した場合には、次のようになる。すなわち、記録媒体であるディスクへの動画情報の記録を複数の記録モードの中から選択して実施可能なディスク記録装置において、前記ディスクの記録残容量と予め設定された一定量とを比較する比較手段と、前記比較手段での比較の結果、記録残容量が一定量以下になったとき、前記各記録モードに対応した残り記録可能時間を算出して表示する表示手段とを備えた構成とすることができる。
【００１４】
ここで、例えばハードディスクレコーダでは、複数の記録モードとして、ＨＱ（高画質）モード、ＳＰ（標準）モード、ＬＰモード、ＥＰモード等の４種類の記録モードが用意されている。そして、ディスク容量が８０ＧＢの場合、ＨＱモードで例えば１５時間の記録が可能であるとすると、ＳＰモードでは３０時間、ＬＰモードで６０時間、ＥＰモードで９０時間の記録が可能である。ただし、この時間は一例である。
【００１５】
また、一定量は、例えばＨＱモードで記録したときの記録時間を元に設定することができる。例えば、ＨＱモードで２時間記録できる容量を一定量として設定し、比較手段では、この一定量とディスクの記録残容量とを比較する。そして、記録残容量が一定量以下になったとき、すなわち、ＨＱモードで記録できる時間が２時間を切ったとき、表示手段は、その時点での記録残容量から各記録モード（ＨＱ、ＳＰ、ＬＰ、ＥＰの各モード）での残り記録可能時間を算出し、その算出結果を表示する。上記の例に従えば、ＨＱモードの場合には２時間、ＳＰモードの場合には４時間、ＬＰモードの場合には８時間、ＥＰモードの場合には１２時間が残り記録可能時間として一覧形式で表示されることになる。
【００１６】
従って、ユーザは、この表示内容を確認し、その後に記録したい時間を勘案して、その記録したい時間に対応可能な記録モードを選択すればよい。これにより、ディスクの記録残容量が少なくなったときでも、所望する時間分の記録ができるように記録モードを設定変更することが可能となる。
【００１７】
上記構成では、ＨＱモードで２時間記録できる容量を一定量として設定し、比較手段ではこの一定量とディスクの記録残容量とを比較する構成としたが、一定量の代りに基準記録可能時間を設定してもよい。すなわち、比較手段では、ディスクの記録残容量に基づき現在設定されている記録モードでの残り記録可能時間を算出し、この算出した残り記録可能時間と前記基準記録可能時間とを比較する構成とすることができる。そして、この比較手段での比較の結果、算出された残り記録可能時間が前記基準記録可能時間以下になったとき、前記各記録モードに対応した残り記録可能時間を算出して表示手段に表示する構成とすることができる。
【００１８】
この構成によれば、現在設定されている記録モードでの残り記録可能時間が基準記録可能時間以下になったとき、各記録モードに対応した残り記録可能時間を表示手段に表示することができる。例えば、基準記録可能時間が２時間に設定されており、現在の記録モードがＳＰモードである場合には、このＳＰモードでの残り記録可能時間が２時間を切ったとき、各記録モードに対応した残り記録可能時間が表示される。すなわち、この場合には、ＨＱモードで１時間、ＳＰモードで２時間、ＬＰモードで４時間、ＥＰモードで６時間が残り記録可能時間として一覧形式で表示される。そして、この表示を見たユーザが例えばＳＰモードからＬＰモードに切り換えて記録を継続すると、次にこのＬＰモードでの残り記録可能時間が２時間を切ったとき、各記録モードに対応した残り記録可能時間が表示される。すなわち、この場合には、ＨＱモードで０．５時間、ＳＰモードで１時間、ＬＰモードで２時間、ＥＰモードで３時間が残り記録可能時間として一覧形式で表示されることになる。このように、ユーザが記録モードを切り換えた場合（この場合は画質を下げる方向に切り換えた場合）には、その記録モードでの残り記録可能時間が２時間を切るたびに上記の表示がされることになるので、ユーザは、その表示の都度、記録モードの設定変更を検討することができ、残り少なくなったディスクの記録残容量を有効に利用することが可能となる。
【００１９】
ここで、本発明のディスク記録装置が放送番組の録画予約機能を備えている場合には、前記表示手段は、前記各記録モードに対応した残り記録可能時間を算出するに際し、録画予約された日時に基づいて過去に記録された同じ曜日の同じ時間帯の放送番組の複数の記録情報の情報量の平均値を求め、その求めた平均値の情報量に基づいて残り記録可能時間を算出するように構成してもよい。過去に記録された同じ曜日の同じ時間帯の放送番組は、例えば連続ドラマ等である場合が多く、ドラマの進行状況は毎回似ている。従って、記録時のビットレートもほぼ同じレートになると考えられる。そのため、過去の同じ放送番組の情報量の平均値を求めることで、残り記録可能時間をより精度良く算出することが可能となる。
【００２０】
また、本発明のカメラ付き携帯電話機は、記録媒体であるメモリカードへの静止画情報の記録を複数の記録モードの中から選択して実施可能なカメラ付き携帯電話機において、前記メモリカードの記録残容量と予め設定された一定量とを比較する比較手段と、前記比較手段での比較の結果、記録残容量が一定量以下になったとき、前記各記録モードに対応した残り記録可能枚数を算出して表示する表示手段とを備えたことを特徴とする。
【００２１】
ここで、最近のカメラ付き携帯電話機では、複数の記録モードとして、例えば１Ｍ（１００万画素）、２Ｍ（２００万画素）、３Ｍ（３００万画素）、４Ｍ（４００万画素）、５Ｍ（５００万画素）等の５種類の記録モードが用意されている。ただし、これは一例である。
【００２２】
また、一定量は、例えば５Ｍで記録したときの記録画素数を元に設定することができる。例えば、高画質モードである５Ｍで１０枚記録できる容量を一定量として設定し、比較手段では、この一定量とメモリカードの記録残容量とを比較する。そして、記録残容量が一定量以下になったとき、すなわち、５Ｍで記録できる枚数が１０枚を切ったとき、表示手段は、その時点でのメモリカードの記録残容量から各記録モード（１Ｍ、２Ｍ、３Ｍ、４Ｍ、５Ｍの各モード）での残り記録可能枚数を算出し、その算出結果を表示する。上記の例に従えば、５Ｍモードの場合には１０枚、４Ｍモードの場合は１２枚、３Ｍモードの場合は１６枚、２Ｍモードの場合は２５枚、１Ｍモードの場合は５０枚が残り記録可能枚数として一覧形式で表示されることになる。
【００２３】
従って、ユーザは、この表示内容を確認し、その後に記録したい枚数を勘案して、その記録したい枚数を記録可能なモードを選択すればよい。これにより、メモリカードの記録残容量が少なくなったときでも、所望する枚数分の記録ができるように記録モードを設定変更することが可能となる。
【００２４】
上記構成では、５Ｍモードで１０枚記録できる容量を一定量として設定し、比較手段ではこの一定量とメモリカードの記録残容量とを比較する構成としたが、一定量の代りに基準記録可能枚数を設定してもよい。すなわち、比較手段では、メモリカードの記録残容量に基づき現在設定されている記録モードでの残り記録可能枚数を算出し、この算出した残り記録可能枚数と前記基準記録可能枚数とを比較する構成とすることができる。そして、この比較手段での比較の結果、算出された残り記録可能枚数が前記基準記録可能枚数以下になったとき、前記各記録モードに対応した残り記録可能枚数を算出して表示手段に表示する構成とすることができる。
【００２５】
この構成によれば、現在設定されている記録モードでの残り記録可能枚数が基準記録可能枚数以下になったとき、各記録モードに対応した残り記録可能枚数を表示手段に表示することができる。例えば、基準記録可能枚数が１０枚に設定されており、現在の記録モードが４Ｍモードである場合には、この４Ｍモードでの残り記録可能枚数が１０枚を切ったとき、各記録モードに対応した残り記録可能枚数が表示される。すなわち、この場合には、５Ｍモードで８枚、４Ｍモードで１０枚、３Ｍモードで１３枚、２Ｍモードで２０枚、１Ｍモードで４０枚が残り記録可能枚数として一覧形式で表示される。そして、この表示を見たユーザが例えば４Ｍモードから３Ｍモードに切り換えて静止画像の記録を継続すると、次にこの３Ｍモードでの残り記録可能枚数が１０枚を切ったとき、各記録モードに対応した残り記録可能枚数が表示される。すなわち、この場合には、５Ｍモードで６枚、４Ｍモードで７枚、３Ｍモードで１０枚、２Ｍモードで１５枚、１Ｍモードで３０枚が残り記録可能枚数として一覧形式で表示されることになる。このように、ユーザが記録モードを切り換えた場合（この場合は画質を下げる方向に切り換えた場合）には、その記録モードでの残り記録可能枚数が１０枚を切るたびに上記の表示がされることになるので、ユーザは、その表示の都度、記録モードの設定変更を検討することができ、残り少なくなったメモリカードへの記録残容量を有効に利用することが可能となる。
【００２６】
ここで、表示手段は、各記録モードに対応した残り記録可能枚数を算出するに際し、現在設定されている記録モードにおいて直近の一定時間内に撮影された複数枚の静止画情報の情報量の平均値を求め、その求めた平均値の情報量に基づいて残り記録可能枚数を算出するように構成してもよい。例えば、５Ｍで撮影された画像でも、メモリカードに記録するときの圧縮率は、撮影条件や撮影場所等によって異なってくる。この場合、直近の一定時間内（例えば、直近１時間以内）に撮影された静止画情報は、撮影条件や撮影場所が同じであることが多く、撮影画像の圧縮率もほぼ同じ圧縮率になると考えられる。そのため、過去の一定時間内に撮影された複数枚の静止画情報の情報量の平均値を求めることで、残り記録可能枚数をより精度良く算出することが可能となる。
【発明の効果】
【００２７】
本発明の記録装置によれば、記録媒体であるディスクの記録残容量と予め設定された一定量とを比較し、記録残容量が一定量以下になったとき、各記録モードに対応した残り記録可能時間を表示する構成としたので、ユーザは、この表示内容を確認し、その後に記録したい時間を勘案して、その記録したい時間に対応可能な記録モードを選択することができる。これにより、記録媒体であるディスクの記録残容量が少なくなったときでも、所望する時間分の記録ができるように、予め記録モードを設定変更することが可能となる。
【００２８】
この場合、一定量の代りに基準記録可能時間を設定し、比較手段では、記録残容量に基づき現在設定されている記録モードでの残り記録可能時間を算出し、この算出した残り記録可能時間と基準記録可能時間とを比較する構成としてもよい。この構成によれば、記録モードを順次変更すると、現在設定されている記録モードでの残り記録可能時間が基準記録可能時間以下になるたびに、各記録モードに対応した残り記録可能時間を表示することができるので、ユーザは、その表示の都度、記録モードの設定変更を検討することができ、残り少なくなった記録媒体の記録残容量をより有効に利用することができる。
【００２９】
さらに、各記録モードに対応した残り記録可能時間を算出するに際し、録画予約された日時に基づいて過去に記録された同じ曜日の同じ時間帯の放送番組の複数の記録情報の情報量の平均値を求め、その求めた平均値の情報量に基づいて残り記録可能時間を算出するように構成してもよい。このように過去の同じ放送番組の情報量の平均値を求めることで、残り記録可能時間をより精度良く算出することが可能となる。
【００３０】
また、本発明のカメラ付き携帯電話機によれば、記録媒体であるメモリカードの記録残容量と予め設定された一定量とを比較し、記録残容量が一定量以下になったとき、各記録モードに対応した残り記録可能枚数を算出して表示する構成としたので、ユーザは、この表示内容を確認し、その後に記録したい静止画の枚数を勘案して、その記録したい枚数を撮影可能な記録モードを選択することができる。これにより、記録媒体であるメモリカードの記録残容量が少なくなったときでも、所望する枚数分の記録ができるように、予め記録モードを設定変更することが可能となる。
【００３１】
この場合、一定量の代りに基準記録可能枚数を設定し、比較手段では、記録残容量に基づき現在設定されている記録モードでの残り記録可能枚数を算出し、この算出した残り記録可能枚数と基準記録可能枚数とを比較する構成としてもよい。この構成によれば、記録モードを順次変更すると、現在設定されている記録モードでの残り記録可能枚数が基準記録可能枚数以下になるたびに、各記録モードに対応した残り記録可能枚数を表示することができるので、ユーザは、その表示の都度、記録モードの設定変更を検討することができ、残り少なくなった記録媒体の記録残容量をより有効に利用することができる。
【００３２】
さらに、各記録モードに対応した残り記録可能枚数を算出するに際し、過去の一定時間内に撮影された複数枚の静止画情報の情報量の平均値を求め、その求めた平均値の情報量に基づいて残り記録可能枚数を算出するように構成してもよい。このように、直近の一定時間内に撮影された複数枚の静止画情報の情報量の平均値を求めることで、残り記録可能枚数をより精度良く算出することが可能となる。
【発明を実施するための最良の形態】
【００３３】
以下、本発明の実施の形態について、図面を参照して説明する。
【００３４】
＜実施形態１＞
図１は、本発明の記録装置の実施形態１に係るハードディスク（ＨＤ）内蔵型ＤＶＤレコーダの電気的構成を示すブロック図である。
【００３５】
本実施形態のＨＤ内蔵型ＤＶＤレコーダ１０は、制御部１、テレビ番組等の放送電波を受信するアンテナ２に接続されたチューナ３、信号処理部４、記録媒体であるＤＶＤ（ＤｉｇｉｔａｌＶｅｒｓａｔｉｌｅ Ｄｉｓｋ）１２の着脱が可能なディスク読書部５、リモコン１１からのコントロール信号を受信するリモコン受信部６、表示部７、操作部８、記録媒体であるハードディスク（ＨＤ）９からなり、信号処理部４の出力がテレビジョン受像機（以下、テレビという）１３に接続されている。
【００３６】
制御部１は、ＣＰＵ１ａ、メモリ部１ｂ、及び再生や録画等の時間をカウントするカウンタ１ｃ等から構成されている。メモリ部１ｂは、本コレーダの各種動作プログラムが格納されたＲＯＭ、動作時には種々のデータの一時保存やワークエリアとして働くＲＡＭ、後述する録画履歴を記憶するフラッシュメモリやＥＥＰＲＯＭ等からなる。チューナ３は、アンテナ２で受信した放送電波から映像を含んだアナログの信号を抽出する。信号処理部４は、アナログやデジタルの信号処理用の回路から構成されている。この信号処理部４は、チューナ３から入力されるアナログの信号をテレビ１３に出力したり、デジタル化した後にＭＰＥＧ２（ＭｏｖｉｎｇＰｉｃｔｕｒｅ Ｅｘｐｅｒｔｓ ＧｒｏｕｐＰｈａｓｅ２）形式等の圧縮されたデータに処理してディスク読書部５や制御部１に出力する。
【００３７】
ディスク読書部５は、ピックアップやピックアップ駆動回路やディスク駆動回路等から構成されている。このディスク読書部５は、信号処理部４から出力されるデータをＤＶＤ１２に記録したり、ＤＶＤ１２に記録されているデータを読み込んで信号処理部４に出力したりする。信号処理部４は、ディスク読書部５から出力されるＤＶＤ１２のデータを再生し、アナログの信号に処理した後テレビ１３に出力する。また、信号処理部４は、ＯＳＤ回路を備えており、制御部１からの制御により、テレビ１３のモニタにメニュー画面や予約画面等の表示を行うようになっている。テレビ１３は信号処理部４から出力されるアナログの信号に基づいてＣＲＴ等のモニタに映像を映し出し、スピーカから音声を出力する。
【００３８】
表示部７は、時間や本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。
【００３９】
リモコン１１と操作部８には、図示は省略しているが、電源、再生、録画、早送り、巻戻し、及び停止といった本レコーダ１０の動作を指示するために操作するキーが設けられている。また、録画予約（タイマー録画）を設定するための録画キー等も設けられている。
【００４０】
制御部１は、例えばリモコン１１の電源キーがオンされ、記録媒体として例えば内蔵のハードディスク９が選択されて、録画キーが操作されると、外部からアンテナ２とチューナ３を通じて入力され、信号処理部４で圧縮処理されたテレビ番組等のデータを、ハードディスク９に記録する。また、記録媒体としてＤＶＤ１２が選択されて、録画キーが操作されると、外部からアンテナ２とチューナ３を通じて入力され、信号処理部４で圧縮処理されたテレビ番組等のデータを、ディスク読書部５を介してＤＶＤ１２に記録する。このとき、同時再生（すなわち、テレビ１３での視聴）が選択されている場合には、記録と同時に再生し、再生したデータを信号処理部４によって処理した後、テレビ１３に出力する。これにより、録画中のテレビ番組がテレビ１３のモニタに映像として映し出され、スピーカから音声として出力される。
また、制御部１は、リモコン１１の録画キーが操作されたり、予め設定された録画予約の録画開始時刻になると、チューナ３によって受信され、信号処理部４で圧縮処理されたテレビ番組等のデータを、ハードディスク９やＤＶＤ１２に記録して保存する。
【００４１】
さらに、制御部１は、記録媒体であるハードディスク９またはＤＶＤ１２へのテレビ番組情報（動画情報）の記録を複数の記録モードの中から選択して実施可能であり、記録媒体の記録残容量と予め設定された一定量とを比較し、記録残容量が一定量以下になったとき、各記録モードに対応した残り記録可能時間を算出して表示部７に表示する処理を実行する。
【００４２】
例えば、ハードディスク（ＨＤ）の場合、複数の記録モードとして、ＨＱ（高画質）モード、ＳＰ（標準）モード、ＬＰモード、ＥＰモード等の４種類（またはこれ以上）の記録モードが用意されている。そして、ディスク容量が８０ＧＢの場合、ＨＱモードで例えば１５時間の記録が可能であるとすると、ＳＰモードでは３０時間、ＬＰモードで６０時間、ＥＰモードで９０時間の録画が可能となる。ただし、この時間は一例である。また、ＤＶＤの場合も同様に、複数の記録モードとして、ＨＱ（高画質）モード、ＳＰ（標準）モード、ＬＰモード、ＥＰモード等の４種類（またはこれ以上）の記録モードが用意されている。
【００４３】
次に、上記構成のＨＤ内蔵型ＤＶＤレコーダ１０において、制御部１による各記録モードの記録残容量表示処理動作について、具体的に実施例を挙げて説明する。ただし、ここではハードディスク（ＨＤ）９に番組情報を記録する場合を例に挙げて説明する。
【実施例１】
【００４４】
本実施例１は、ハードディスク（以下、単に「ディスク」とも言う。）９の記録残容量と予め設定された一定量とを比較し、ディスク９の記録残容量が一定量以下になったとき、各記録モードに対応した残り記録可能時間を算出して表示部７に表示する実施例である。以下、図２に示すフローチャート、及び図３に示す表示画面例を参照して説明する。
【００４５】
ここで、比較基準となる一定量は、本実施例１ではＨＱモードで記録したときの記録時間を元に設定されている。記録できる時間は映像の内容により異なり、例えば動きの激しい映像の場合には容量を多く必要とするため、一義的に設定することはできないが、標準的な映像をＨＱモードで記録したときの記録時間を基準として、そのときの情報量を一定量に設定することができる。本実施例１では、標準的な映像をＨＱモードで２時間記録できる容量を一定量として設定している。この一定量は、例えば制御部１のメモリ部１ｂに格納される。制御部１は、この一定量とディスク９の記録残容量とを比較する（ステップＳ１）。
【００４６】
そして、記録残容量が一定量以下になったとき（ステップＳ１でＹｅｓと判断されたとき）、すなわち、ＨＱモードで記録できる時間が２時間を切ったとき、制御部１は、その時点での記録残容量から各記録モード（ＨＱ、ＳＰ、ＬＰ、ＥＰの各モード）での残り記録可能時間を算出し（ステップＳ２）、その算出結果を表示部７に表示する（ステップＳ３）。
【００４７】
図３は、このときの表示画面例を示している。すなわち、ＨＱモードの場合には２時間、ＳＰモードの場合には４時間、ＬＰモードの場合には８時間、ＥＰモードの場合には１２時間が残り記録可能時間として一覧形式で表示されることになる。なお、この表示画面には、現在設定されている記録モードの横に印を付けて表示している。この例では、「現在」と直接的な記載で表示しているが、例えば文字自体の色を変えたり、文字の背景色を変えたり、文字の先頭部分に丸印を付けるといった、種々の表示形式が可能である。
【００４８】
従って、ユーザは、この表示内容を確認し、その後に記録したい番組情報の放送時間を勘案して、記録したい時間に対応可能な記録モードを選択すればよい。例えば、現在設定している記録モードがＨＱモードである場合には２時間の記録が可能であるが、ユーザの記録したい番組がスペシャルの３時間番組であった場合には、記録モードをこの時点でＨＱモードからＳＰモードに設定変更すればよい。この設定変更は、例えばリモコン１１の図示しない上下キーまたは左右キーを操作して、図３に示す表示画面上でカーソルを移動させ、ＳＰモードのところに移動させた状態でリモコン１１の図示しない決定キーを押すことにより、記録モードの設定を変更するようにしてもよい。
【００４９】
このように、ディスク９の記録残容量が少なくなると、図３に示す各記録モードの残り記録可能時間を表示部７に表示することで、ユーザに記録モードの設定変更を積極的に促すことができるので、ユーザは、この表示内容を見て、所望する時間分の記録ができるように記録モードを設定変更することが可能となる。
【実施例２】
【００５０】
上記実施例１では、ＨＱモードで２時間記録できる容量を一定量として設定し、この一定量とディスクの記録残容量とを比較する構成としたが、本実施例２では、一定量の代りに基準記録可能時間を用いている。以下、図４に示すフローチャート、及び図５に示す表示画面例を参照して説明する。
【００５１】
基準記録可能時間は、各記録モードに共通の時間として設定されている。本実施例２では、この基準記録可能時間は２時間に設定されている。この基準記録可能時間は、例えば制御部１のメモリ部１ｂに格納される。制御部１は、ディスク９の記録残容量に基づき現在設定されている記録モードでの残り記録可能時間を算出し（ステップＳ１１）、この算出した残り記録可能時間と基準記録可能時間とを比較する（ステップＳ１２）。そして、算出された残り記録可能時間が基準記録可能時間以下になったとき（ステップＳ１２でＹｅｓと判断されたとき）、制御部１は、その時点での記録残容量から各記録モード（ＨＱ、ＳＰ、ＬＰ、ＥＰの各モード）での残り記録可能時間を算出し（ステップＳ１３）、その算出結果を表示部７に表示する（ステップＳ１４）。
【００５２】
例えば、現在の記録モードがＳＰモードである場合には、このＳＰモードでの残り記録可能時間が２時間を切ったとき、各記録モードに対応した残り記録可能時間が表示される。すなわち、この場合には図５（ａ）に示すように、ＨＱモードで１時間、ＳＰモードで２時間、ＬＰモードで４時間、ＥＰモードで６時間が残り記録可能時間として一覧形式で表示される。
【００５３】
そして、この表示を見たユーザが例えばＳＰモードからＬＰモードに切り換えて記録を継続すると、次にこのＬＰモードでの残り記録可能時間が２時間を切ったとき（ステップＳ１２でＹｅｓと判断されたとき）、各記録モードに対応した残り記録可能時間が再び表示部７に表示される（ステップＳ１４）。すなわち、この場合には図５（ｂ）に示すように、ＨＱモードで０．５時間、ＳＰモードで１時間、ＬＰモードで２時間、ＥＰモードで３時間が残り記録可能時間として一覧形式で表示されることになる。
【００５４】
このように、ユーザが記録モードを切り換えた場合（この場合は画質を下げる方向に切り換えた場合）には、その記録モードでの残り記録可能時間が２時間を切るたびに上記の表示がされることになるので、ユーザは、その表示の都度、記録モードの設定変更を検討することができ、残り少なくなったハードディスク９の記録残容量を有効に利用することが可能となる。
【実施例３】
【００５５】
本実施例３は、上記実施例１及び実施例２において、各記録モードに対応した残り記録可能時間を算出するに際し、過去の記録状態を考慮してより精度よく残り記録可能時間を算出する実施例である。
【００５６】
すなわち、ＨＤ内蔵型ＤＶＤレコーダ１０は、放送番組の録画予約機能を備えている。そこで、制御部１は、各記録モードに対応した残り記録可能時間を算出するに際し、録画予約された日時に基づいて過去に記録された同じ曜日の同じ時間帯の放送番組の複数の記録情報の情報量の平均値を求め、その求めた平均値の情報量に基づいて残り記録可能時間を算出する。過去に記録された同じ曜日の同じ時間帯の放送番組は、例えば連続ドラマ等である場合が多く、ドラマの進行状況は毎回似ているため、記録時のビットレートもほぼ同じレートになると考えられる。従って、過去の同じ放送番組が既に記録されている場合には、その記録されている過去の同じ放送番組の記録情報の情報量の平均値を求めることで、その番組についての残り記録可能時間をより精度良く算出することが可能となる。ただし、過去の同じ放送番組が記録されていない場合には、予め設定されているデフォルト値で各記録モードに対応した残り記録可能時間を算出することになる。
【００５７】
なお、上記各実施例１〜３は、番組情報をハードディスク９に記録する場合を例に挙げているが、ＤＶＤ１２に記録する場合も全く同様にして各記録モードに対応した残り記録可能時間を表示することが可能である。
【００５８】
＜実施形態２＞
図６は、本発明の記録装置の実施形態２に係るカメラ付き携帯電話機の電気的構成を示すブロック図である。また、図７（ａ）はこのカメラ付き携帯電話機を閉じた状態の背面より見た斜視図、（ｂ）は展開した状態の正面図である。
【００５９】
本実施形態２のカメラ付き携帯電話機３０は、本電話機の各種動作を制御する制御部３２と、操作部３３と、被写体を撮影するための撮影レンズ（対物レンズ）やＣＣＤを有する撮影部３４と、撮影部３４で撮影されている被写体の撮影画像や電話機本体の動作状態を表示する表示部３５と、撮影時におけるフラッシュの点灯を制御する照明部３６と、自動タイマー撮影モード時に各種の時間を計測するタイマー部３７と、撮影部２４で撮影された被写体の撮影画像を電子データで記録する記録部３８と、マイクロホンやスピーカを備えた受話部３９と、他の携帯電話機と無線基地局を介して通信する無線通信部４０と、を備えている。
【００６０】
このカメラ付き携帯電話機３０は、内面側に操作部３３が配置された第１の筺体４１と、内面側に表示部３５が配置された第２の筺体４２とがヒンジ部４３によって折り畳み可能に設けられている。第１の筐体４１の内面側に配置された操作部３３は、少なくともシャッターボタンを兼用する選択ボタン３３１、本電話機の電源をオン／オフする電源ボタン３３２、表示部３５に各種メニューを表示するためのメニューボタン３３３、及びメニュー画面で各種機能を設定するための上下左右の方向選択ボタン３３４を備えている。また、第１の筐体４１の外面側には、撮影部４の撮影レンズ４ａとストロボ部６によりその点灯が制御されるフラッシュ６ａとが近接して配置されている。
【００６１】
表示部３５には、撮影部３４で撮影されている被写体の撮影画像や、記録部３８に記録されている撮影画像が表示される。
【００６２】
記録部３８は、撮影部３４で撮影した被写体の撮影画像を電子データで記録媒体である例えばフラッシュメモリカード（以下、単に「メモリカード」という。）に記録する。このメモリカードは第１の筐体４１に対して着脱可能となっている。
【００６３】
本実施形態２のカメラ付き携帯電話機３０は、第１の筐体４１にセットされた電池（不図示）により、本体各部に動作電源を供給する。カメラ付き携帯電話機３０には、待機モードと撮影モードの２つのモードがある。第１の筐体４１にセットされている電池により、本体各部に動作電源の供給が行われており、被写体の撮影が行える状態が撮影モードである。一方、電源ボタン３３２の操作（押下）及び無線通信部４０からの着信を検出する検出機構部のみ動作電源が供給されており、その他の機構部（撮影部３４、表示部３５、照明部３６、タイマー部３７、記録部３８、受話部３９）に動作電源が供給されていない状態が待機モードである。待機モードは、カメラ付き携帯電話機３０の消費電力を抑えたモードである。通常、撮影時にカメラ付き携帯電話機３０を待機モードから撮影モードに移行させて被写体の撮影を行い、撮影終了時にカメラ付き携帯電話機３０を撮影モードから待機モードに戻す。
【００６４】
制御部３２は、シャッターボタン（選択ボタン）３３１が押されることによって被写体の撮影画像を記録媒体であるメモリカードに記録する撮影画像記録制御処理を実行する。
【００６５】
また、制御部３２は、記録媒体であるメモリカードへの静止画情報の記録を複数の記録モードの中から選択して実施可能であり、メモリカードの記録残容量と予め設定された一定量とを比較し、記録残容量が一定量以下になったとき、各記録モードに対応した残り記録可能枚数を算出して表示部３５に表示する処理を実行する。
【００６６】
本実施形態２のカメラ付き携帯電話機３０では、複数の記録モードとして、１Ｍ（１００万画素）、２Ｍ（２００万画素）、３Ｍ（３００万画素）、４Ｍ（４００万画素）、５Ｍ（５００万画素）等の５種類の記録モードが用意されている。ただし、これは一例である。
【００６７】
次に、上記構成のカメラ付き携帯電話機３０において、制御部３２による各記録モードの記録残容量表示処理動作について、具体的に実施例を挙げて説明する。
【実施例４】
【００６８】
本実施例４は、メモリカードの記録残容量と予め設定された一定量とを比較し、記録残容量が一定量以下になったとき、各記録モードに対応した残り記録可能枚数を算出して表示部３５に表示する実施例である。以下、図８に示すフローチャート、及び図９に示す表示画面例を参照して説明する。
【００６９】
ここで、比較基準となる一定量は、本実施例４では５Ｍで記録したときの記録容量を元に設定されている。すなわち、高画質モードである５Ｍで１０枚記録できる容量を一定量として設定している。この一定量は、制御部３２の図示しないＲＯＭ等に格納されている。制御部３２は、この一定量とメモリカードの記録残容量とを比較する（ステップＳ２２）。そして、記録残容量が一定量以下になったとき（ステップＳ２１でＹｅｓと判断されたとき）、すなわち、５Ｍで記録できる枚数が１０枚を切ったとき、制御部３２は、その時点でのメモリカードの記録残容量から各記録モード（１Ｍ、２Ｍ、３Ｍ、４Ｍ、５Ｍの各モード）での残り記録可能枚数を算出し（ステップＳ２２）、その算出結果を表示部３５に表示する（ステップＳ２３）。
【００７０】
図９は、このときの表示画面例を示している。すなわち、５Ｍモードで１０枚、４Ｍモードで１２枚、３Ｍモードで１６枚、２Ｍモードで２５枚、１Ｍモードで５０枚が残り記録可能枚数として一覧形式で表示されることになる。
【００７１】
従って、ユーザは、この表示内容を確認し、その後に記録したい枚数を勘案して、その記録したい枚数を記録可能なモードを選択すればよい。例えば、現在設定している記録モードが４Ｍである場合には１２枚の記録（撮影）が可能であるが、ユーザの撮影したい枚数が２０枚程度ある場合には、記録モードをこの時点で４Ｍモードから２Ｍモードに設定変更すればよい。この設定変更は、例えば方向選択ボタン３３４を操作して、図９に示す表示画面上でカーソルを移動させ、２Ｍモードのところに移動させた状態で図示しない決定ボタンを押すことにより、記録モードの設定を変更するようにしてもよい。または、表示画面とは関係なく、第１の筐体４１にダイヤル式の記録モード変更ボタン（不図示）を設けておき、これを回すことによって記録モードの設定を変更できるようにしてもよい。
【００７２】
このように、メモリカードの記録残容量が少なくなると、図８に示す各記録モードの残り記録可能枚数を表示部３５に表示することで、ユーザに記録モードの設定変更を積極的に促すことができるので、ユーザは、この表示内容を見て、所望する枚数分の記録ができるように記録モードを設定変更することが可能となる。
【実施例５】
【００７３】
上記実施例４では、５Ｍモードで１０枚記録できる容量を一定量として設定し、この一定量とメモリカードの記録残容量とを比較する構成としたが、本実施例５では、一定量の代りに基準記録可能枚数を用いている。以下、図１０に示すフローチャート、及び図１１に示す表示画面例を参照して説明する。
【００７４】
基準記録可能枚数は、各記録モードに共通の枚数として設定されている。本実施例５では、この基準記録可能枚数は１０枚に設定されている。この基準記録可能枚数は、例えば制御部３２の図示しないＲＯＭ等に格納されている。制御部３２は、メモリカードの記録残容量に基づき現在設定されている記録モードでの残り記録可能枚数を算出し（ステップＳ３１）、この算出した残り記録可能枚数と基準記録可能枚数（１０枚）とを比較する（ステップＳ３２）。
【００７５】
そして、残り記録可能枚数が基準記録可能枚数以下になったとき（ステップＳ３２でＹｅｓと判断されたとき）、制御部３２は、各記録モードに対応した残り記録可能枚数を算出し（ステップＳ３３）、その算出結果を表示部３５に表示する（ステップＳ３４）。
【００７６】
例えば、現在の記録モードが４Ｍモードである場合には、この４Ｍモードでの残り記録可能枚数が１０枚を切ったとき、各記録モードに対応した残り記録可能枚数が表示される。すなわち、この場合には図１１（ａ）に示すように、５Ｍモードで８枚、４Ｍモードで１０枚、３Ｍモードで１３枚、２Ｍモードで２０枚、１Ｍモードで４０枚が残り記録可能枚数として一覧形式で表示される。
【００７７】
そして、この表示を見たユーザが例えば４Ｍモードから３Ｍモードに切り換えて静止画像の記録を継続すると、次にこの３Ｍモードでの残り記録可能枚数が１０枚を切ったとき（ステップＳ３２でＹｅｓと判断されたとき）、各記録モードに対応した残り記録可能枚数が再び表示部３５に表示される（ステップＳ３４）。すなわち、この場合には図１１（ｂ）に示すように、５Ｍモードで６枚、４Ｍモードで７枚、３Ｍモードで１０枚、２Ｍモードで１５枚、１Ｍモードで３０枚が残り記録可能枚数として一覧形式で表示されることになる。
【００７８】
このように、ユーザが記録モードを切り換えた場合（この場合は画質を下げる方向に切り換えた場合）には、その記録モードでの残り記録可能枚数が１０枚を切るたびに上記の表示がされることになるので、ユーザは、その表示の都度、記録モードの設定変更を検討することができ、残り少なくなったメモリカードへの記録残容量を有効に利用することが可能となる。
【実施例６】
【００７９】
本実施例７は、上記実施例４及び実施例５において、各記録モードに対応した残り記録可能枚数を算出するに際し、直近の一定時間内の記録状況を考慮してより精度よく残り可能記録枚数を算出する実施例である。
【００８０】
すなわち、制御部３２は、各記録モードに対応した残り記録可能枚数を算出するに際し、現在設定されている記録モードにおいて直近の一定時間内（例えば、直近１時間以内）に撮影された複数枚の静止画情報の情報量（例えば、ＪＰＥＧ形式で記録する場合の圧縮後の情報量）の平均値を求め、その求めた平均値の情報量に基づいて残り記録可能枚数を算出する。例えば、５Ｍで撮影された画像でも、メモリカードに記録するときの圧縮率は、撮影条件や撮影場所等によって異なってくる。この場合、直近の一定時間内に撮影された静止画情報は、撮影条件や撮影場所が同じであることが多く、撮影画像の圧縮率もほぼ同じ圧縮率になると考えられる。そのため、直近の一定時間内に撮影された複数枚の静止画情報の情報量の平均値を求めることで、残り記録可能枚数をより精度良く算出することが可能となる。ただし、直近１時間以内に撮影された画像が存在しない場合には、予め設定されているデフォルト値で各記録モードに対応した残り可能記録枚数を算出することになる。
【００８１】
なお、上記一定量や基準記録可能時間及び基準記録可能枚数は、ユーザによって任意に設定できるようにしてもよい。
【図面の簡単な説明】
【００８２】
【図１】本発明の記録装置の実施形態１であるハードディスク（ＨＤ）内蔵型ＤＶＤレコーダの電気的構成を示すブロック図である。
【図２】実施例１の記録残容量表示処理動作の流れを示すフローチャートである。
【図３】実施例１の表示画面例を示す説明図である。
【図４】実施例２の記録残容量表示処理動作の流れを示すフローチャートである。
【図５】実施例２の表示画面例を示す説明図である。
【図６】本発明の記録装置の実施形態２であるカメラ付き携帯電話機の電気的構成を示すブロック図である。
【図７】（ａ）はカメラ付き携帯電話機を閉じた状態の背面より見た斜視図、（ｂ）は展開した状態の正面図である。
【図８】実施例４の記録残容量表示処理動作の流れを示すフローチャートである。
【図９】実施例４の表示画面例を示す説明図である。
【図１０】実施例５の記録残容量表示処理動作の流れを示すフローチャートである。
【図１１】実施例５の表示画面例を示す説明図である。
【符号の説明】
【００８３】
１  制御部
１ａ  ＣＰＵ
１ｂ  メモリ部
１ｃ  カウンタ
２  アンテナ
３  チューナ
４  信号処理部
５  ディスク読書部
６  リモコン受信部
７  表示部
８  操作部
９  ハードディスク（ＨＤ）
１０  ＨＤ内蔵型ＤＶＤレコーダ
１１  リモコン
１２  ＤＶＤ
１３  テレビ
３０  カメラ付き携帯電話機
３２  制御部
３３  操作部
３４  撮影部
３５  表示部
３６  照明部
３７  タイマー部
３８  記録部
３９  受話部
４０  無線通信部
４１  第１の筐体
４２  第２の筐体
４２  ヒンジ部
【図１】
2008085406.tif 000003
【図２】
2008085406.tif 000004
【図３】
2008085406.tif 000005
【図４】
2008085406.tif 000006
【図５】
2008085406.tif 000007
【図６】
2008085406.tif 000008
【図７】
2008085406.tif 000009
【図８】
2008085406.tif 000010
【図９】
2008085406.tif 000011
【図１０】
2008085406.tif 000012
【図１１】
2008085406.tif 000013